(57)【要約】      （修正有）【課題】洗濯バサミに物が引っ掛かったり、絡んだりするのを防止する洗濯バサミに被せるカバーを提供する。【解決手段】洗濯バサミより僅かに大きいか、ほぼ同等の大きさの筒状３若しくは袋状１であって洗濯バサミが他の洗濯バサミや他の物体と引っ掛かったり、絡んだりするのを防止する為に、洗濯バサミに被せる事ができるカバーであって、開口部２、４を有し、洗濯バサミを覆い、尚且つ洗濯バサミの物を挟む側の先端がカバーからはみ出す様に設計され、且つ洗濯バサミの物を挟む先端を開く為に手でつまむ側の洗濯バサミの端部を覆い、他の物体が引っ掛かったり、絡んだりするのを防止する。【選択図】図１
0003200147.tif 000002
【実用新案登録請求の範囲】
【請求項１】
洗濯バサミが他の洗濯バサミや他の物体と引っ掛かったり、絡んだりするのを防止する為に、洗濯バサミに被せるカバー。
【請求項２】
［請求項１］に記載の洗濯バサミに被せるカバーであって、袋状になっているカバー。
【請求項３】
［請求項１］に記載の洗濯バサミに被せるカバーであって、袋状になっており、洗濯バサミを覆い、尚且つ洗濯バサミの物を挟む側の先端がカバーからはみ出す様に設計され、且つ洗濯バサミの物を挟む先端を開く為に手でつまむ側の洗濯バサミの端部を覆い、他の物体が引っ掛かったり、絡んだりするのを防止するカバー。
【請求項４】
［請求項１］に記載の洗濯バサミに被せるカバーであって、筒状になっており、両端に開口部があり、洗濯バサミを覆い、尚且つ洗濯バサミの物を挟む側の先端がカバーからはみ出し、且つ洗濯バサミの物を挟む先端を開く為に手でつまむ側、の洗濯バサミの端部を覆い、他の物体が引っ掛かったり、絡んだりするのを防止し、更に洗濯バサミの手でつまむ側の端部の開口から洗濯バサミに取り付けた金具を出して洗濯物ハンバーに洗濯バサミを取り付ける事が可能なカバー。
【請求項５】
［請求項４］に記載の洗濯バサミに被せるカバーであって、筒状になっており、その一端に洗濯バサミに取り付ける事が出来るような突起や紐などが付いており、洗濯バサミから容易に外れない様に洗濯バサミに固定する事が可能なカバー。
【請求項６】
［請求項４］に記載の洗濯バサミに被せるカバーであって、真ん中が大きく、真ん中から両端の開口に近づくに従って小さくなり、一度洗濯バサミをカバー内部に収納すると、意図してカバーを外さない限り、容易には洗濯バサミから外れる事がないカバー。
【請求項７】
［請求項１］に記載の洗濯バサミに付けるカバーであって、カバー内側に細かい凹凸を施したり、粘着性のある薬剤を塗りつけたり、カバーの素材に革やフェルト等滑りにくい材料等を用いたりする事で、一度洗濯バサミを内部に収納すると、意図してカバーを外さない限り、容易には洗濯バサミから外れる事がないカバー。
【請求項８】
［請求項２］または［請求項４］に記載の洗濯バサミに付けるカバーであって、開口部にゴムの様な伸縮性のある材料を取り付けるか、若しくは開口部を伸縮性のある素材で作成するか、若しくはカバー全体を伸縮性のあるゴムや樹脂、繊維などの素材を用いて作成し、カバー内部に洗濯バサミを容易に収納する事ができるカバー。
【請求項９】
［請求項１］に記載の洗濯バサミに付けるカバーであって、透明な素材を用いる事で、カバー内部の洗濯バサミの様子が外部から容易に見ることができるカバー。
【請求項１０】
［請求項１］に記載の洗濯バサミに被せるカバーを被せた洗濯バサミ。
【考案の詳細な説明】
【技術分野】
【０００１】本考案は、洗濯バサミ及び洗濯バサミに被せるカバーに関する。
【背景技術】
【０００２】洗濯バサミが引っ掛かったり、絡んだりする事の不便さを解決する為に洗濯バサミのつまむ側の端部の形状を工夫して「くの字」に曲げたり、端部を交差させたりする製品が近年出現しているが、加工難度が上がってコストが上昇したり、少しの衝撃力で容易に壊れたりして、普及が進んでいない。
【先行技術文献】
【０００３】
【特許文献１】特願２０１２−７５８４５
【考案の概要】
【考案が解決しようとする課題】
【０００４】洗濯バサミの手でつまむ側の２つ端部は、大きく開いており、他の物体が近づいた際にその端部の先端が引っかかったり、絡んだりして、利用上の不便が生じる事が多い。特に多数の洗濯バサミが取り付けられている洗濯物ハンガー等では、洗濯物ハンガーを折り畳んだ場合や複数の洗濯物ハンガーを重ねて保存する場合には、洗濯バサミが絡んで不便が生じる事が多かった。この様に洗濯バサミ同士や洗濯バサミと他の物が絡んで不便を生じない様にする。【０００５】参考特許１は、これに対する解決策の１つを提示しているが、「ひも状又は帯状の弾性のものを、ツマミ部分の内側に又は外側の後方に２つのツマミ部分の穴を通し、取り付け、洗濯バサミの２つのツマミ部分を連結させた、洗濯バサミ」では、「ひも状又は帯状の弾性のもの」は容易に切れたり、折れたり可能性が有り、またこのやり方では依然として洗濯バサミのつまむ部分の端部は、やはり解放されたままで有り、引っ掛かったり絡んだりする可能性を残したまま放置される事になる。【０００６】また、これとは別に洗濯バサミのつまむ部分の端部をくの字に曲げたり、端部を交差させたりする製品が出現しているが、加工コストが上がって価格が上昇したり、また容易に壊れる等の理由で普及が進んでいない。
【課題を解決するための手段】
【０００７】洗濯バサミの物を挟む側の端部を残して、他の部分全部を覆う袋状のカバーを被せる。もしくは、筒状のカバーをカバーが洗濯バサミから容易に外れない工夫を施して洗濯バサミに被せて、２つの開口部の１つから物を挟む先端を出し、もう一方の開口部から洗濯バサミに繋いだ金具を取り出して、洗濯物ハンガー等に洗濯バサミを取り付ける事で、洗濯バサミの用途を損なうことなく。洗濯バサミが他の物に引っ掛かったり絡んだりする事を防ぐ事ができる。【０００８】この際、このカバーの物を挟む側は小さな開口部をもち、カバーは真ん中に近づくほど大きくなり、洗濯バサミの手でつまむ側の２つの端部を包む位置で、端部が最大に開いた時の２つの端部間の距離と同程度の大きさとなり、その位置を超えるとカバーは次第に小さくなり、物を挟む側とは反対の側の端部は閉じているか、若しくは小さな開口となっている。この様に両端が小さく、真ん中が大きい形状の袋状の若しくは筒状のカバーを洗濯バサミに被せる事で、洗濯バサミの手でつまむ側の端部同士が絡んだり、他の物に引っかかったりする事を防ぐ事ができる。【０００９】また、開口部にゴム等の伸縮性ある材料を取り付けるか、若しくはこのカバーそれ自体をゴムや伸縮性のある樹脂や繊維等で作成する事で、カバーの開口部からカバー内部に洗濯バサミを容易に導き入れる事ができる。【００１０】また、この袋状のカバーの、洗濯バサミの手でつまむ側の端部、に小さな開口を設ける事で、洗濯バサミと洗濯物ハンガー等との間の取り付け金具等を妨げる事がない。【００１１】カバーの両端を小さくし、中央を大きくする事で、カバーが洗濯バサミから脱落する事を防ぎ、また洗濯バサミで物を挟む際にカバーの中央を手でつまむ事で洗濯バサミの物を挟む側の先端を容易に開く事ができる。また、カバーの内側に滑り止めの効果のある素材を取り付ける、若しくは滑り止め効果のある材料でカバーを作成すれば、カバーが容易に洗濯バサミから外れる事を防止する事ができる。更に透明な素材でカバーを作成すれば、カバーの外から洗濯バサミの様子を見ながら洗濯バサミで物を挟んだり、外したりする事ができ、カバーを付けた事による洗濯バサミの「つまみにくさ」を解消する事もできる。この様に洗濯バサミにカバーを付ける事で、他の物と絡んだり、引っかかったりする事を防止する事ができる。
【考案の効果】
【００１２】洗濯バサミにカバーを被せる事で、カバーは洗濯バサミの手でつまむ側の端部を覆い、手でつまむ側の２つの端部の間に物が侵入する事を防ぎ、結果として、この端部と他の物とが引っ掛かったり、絡んだりする事を防ぐ事ができる。【００１３】また、カバーの両端を開口しておく事で、洗濯バサミが物を挟む機能を維持し、また洗濯物ハンガーに洗濯バサミを取り付けている金具を遮ったり金具の動きを妨げたりする事がなく、洗濯物ハンガーにおける洗濯バサミの効能を減じる事もない。
【図面の簡単な説明】
【００１４】本考案における実施の例を示す。
【図１】本考案に係る実施形態の袋状カバーの図（ａ）と筒状カバーの図（ｂ）を示す図である。
【図２】本考案の第一の実施例の袋状カバーの正面図（ａ）及び側面図（ｂ）である。
【図３】本考案の第一の実施例の袋状カバーを洗濯バサミに被せた図である。
【図４】本考案の第二の実施例の筒状カバーの正面図（ａ）及び側面図（ｂ）である。
【図５】本考案の第一の実施例の筒状カバーを洗濯バサミに被せた図である。
【考案を実施するための形態】
【第１の実施形態】
【００１５】以下に、本考案に係る絡まない洗濯バサミカバーの実施形態について、図面を参照して説明する。ただし、ここに説明するのは単なる例示であって、これによって本考案が限定されるわけではない。
【００１６】洗濯バサミの物を挟む先端部分以外を覆う袋状のカバーの例。図１の（ａ）に袋状カバーの正面図を（ｂ）に袋状カバーの側面図を示す。２は物を挟む側の端部をカバーから出す為の開口部である。図２は袋状のカバーを洗濯バサミに被せた場合の例である。洗濯バサミを洗濯物ハンガーに取り付ける場合には４の金具を用いる。
【第２の実施形態】
【００１７】洗濯バサミに付ける筒状のカバーの例。図３の（ａ）に筒状カバーの正面図を（ｂ）に筒状カバーの側面図を示す。２は物を挟む側の端部をカバーから出す為の開口部である。３は洗濯バサミを洗濯物ハンガーに取り付ける金具をカバーから出す為の開口部である。図４は、筒状カバーを洗濯バサミに被せた場合の例である。洗濯バサミを洗濯物ハンガーに取り付ける場合には、（ａ）の場合は６、（ｂ）の場合は７の金具を用いる。
【符号の説明】
【００１８】１  袋状のカバー
２  物を挟む側の開口部
３  筒状のカバー
４  洗濯バサミを洗濯物ハンガーに取り付ける金具の為の開口部
５  洗濯バサミ
６  洗濯バサミを洗濯物ハンガーに取り付ける金具（洗濯バサミ本体の金具に取り付ける）
７  洗濯バサミを洗濯物ハンガーに取り付ける金具（洗濯バサミ本体に直接取り付ける）
【図１】
0003200147.tif 000003
【図２】
0003200147.tif 000004
【図３】
0003200147.tif 000005
【図４】
0003200147.tif 000006
【図５】
0003200147.tif 000007
【手続補正書】
【提出日】平成27年7月16日(2015.7.16)
【手続補正１】
【補正対象書類名】実用新案登録請求の範囲
【補正対象項目名】全文
【補正方法】変更
【補正の内容】
【実用新案登録請求の範囲】
【請求項１】
洗濯バサミより僅かに大きいか、ほぼ同等の大きさの筒状若しくは中空構造の楕円体の形状であって洗濯バサミが他の洗濯バサミや他の物体と引っ掛かったり、絡んだりするのを防止する為に、洗濯バサミに被せる事ができるカバー。
【請求項２】
請求項１に記載の洗濯バサミに被せるカバーであって、袋状になっているカバー。
【請求項３】
請求項１に記載の洗濯バサミに被せるカバーであって、袋状になっており、洗濯バサミを覆い、尚且つ洗濯バサミの物を挟む側の先端がカバーからはみ出す様に設計され、且つ洗濯バサミの物を挟む先端を開く為に手でつまむ側の洗濯バサミの端部を覆い、他の物体が引っ掛かったり、絡んだりするのを防止するカバー。
【請求項４】
請求項１に記載の洗濯バサミに被せるカバーであって、筒状になっており、両端に開口部があり、洗濯バサミを覆い、尚且つ洗濯バサミの物を挟む側の先端がカバーからはみ出し、且つ洗濯バサミの物を挟む先端を開く為に手でつまむ側、の洗濯バサミの端部を覆い、他の物体が引っ掛かったり、絡んだりするのを防止し、更に洗濯バサミの手でつまむ側の端部の開口から洗濯バサミに取り付けた金具を出して洗濯物ハンガーに洗濯バサミを取り付ける事が可能なカバー。
【請求項５】
請求項４に記載の洗濯バサミに被せるカバーであって、筒状になっており、その一端に洗濯バサミに取り付ける事が出来るような突起や紐が付いており、洗濯バサミから容易に外れない様に洗濯バサミに固定する事が可能なカバー。
【請求項６】
請求項４に記載の洗濯バサミに被せるカバーであって、真ん中が大きく、真ん中から両端の開口に近づくに従って小さくなり、一度洗濯バサミをカバー内部に収納すると、意図してカバーを外さない限り、容易には洗濯バサミから外れる事がないカバー。
【請求項７】
請求項１に記載の洗濯バサミに付けるカバーであって、カバー内側に細かい凹凸を施したり、粘着性のある薬剤を塗りつけたり、カバーの素材に革やフェルトの様な滑りにくい材料を用いたりする事で、一度洗濯バサミを内部に収納すると、意図してカバーを外さない限り、容易には洗濯バサミから外れる事がないカバー。
【請求項８】
請求項２または請求項４に記載の洗濯バサミに付けるカバーであって、開口部にゴムの様な伸縮性のある材料を取り付けるか、若しくは開口部を伸縮性のある素材で作成するか、若しくはカバー全体を伸縮性のあるゴムや樹脂、繊維などの素材を用いて作成し、カバー内部に洗濯バサミを容易に収納する事ができるカバー。
【請求項９】
請求項１に記載の洗濯バサミに付けるカバーであって、透明な素材を用いる事で、カバー内部の洗濯バサミの様子が外部から容易に見ることができるカバー。
【請求項１０】
請求項１に記載の洗濯バサミに被せるカバーを被せた洗濯バサミ。